(57)【要約】【課題】課題の一例として、ユーザの歌唱得点を参照して、他のユーザに関連した楽曲を選択して、ユーザが継続してカラオケの練習をすることができるカラオケシステム等を提供することにある。【解決手段】カラオケ選曲装置であって、ユーザ情報が入力されるユーザ情報入力部４０と、ユーザ情報に対応する年齢情報を抽出する年齢情報抽出部１０１と、年齢情報に対応する出来事情報を設定する出来事情報設定部１０２と、出来事情報に対応する楽曲情報を抽出する楽曲情報抽出部１０３と、楽曲情報から楽曲情報に関連する楽曲関連情報を生成する楽曲情報分類部１０４と、出来事情報を時間を表す単位の順を追って表示し、出来事情報に対応する楽曲情報に関連する楽曲関連情報を表示する表示手段３０とを備えることを特徴とする。【選択図】図３
2011209631.tif 000002
【特許請求の範囲】
【請求項１】
カラオケ選曲装置であって、
ユーザ情報が入力されるユーザ情報入力手段と、
前記ユーザ情報入力手段によって入力された前記ユーザ情報に含まれる年齢情報を抽出する年齢情報抽出手段と、
前記年齢情報抽出手段によって抽出された前記年齢情報に対応する出来事情報を設定する出来事情報設定手段と、
前記出来事情報設定手段によって設定された前記出来事情報に対応する楽曲情報を抽出する楽曲情報抽出手段と、
前記楽曲情報抽出手段によって抽出された、前記出来事情報に対応する前記楽曲情報から前記楽曲情報に関連する楽曲関連情報を生成する楽曲関連情報生成手段と、
前記出来事情報を、時間を表す単位の順を追って表示し、前記出来事情報に対応する前記楽曲情報に関連する、前記楽曲関連情報生成手段によって生成された楽曲関連情報を表示する表示手段と、
を備えることを特徴とするカラオケ選曲装置。
【請求項２】
請求項１記載のカラオケ選曲装置において、
前記楽曲関連情報生成手段は、前記出来事情報に対応する少なくとも二つ以上の前記楽曲情報が共通の属性情報を有する場合に、前記共通の属性情報毎に前記楽曲関連情報を生成することを特徴とするカラオケ選曲装置。
【請求項３】
請求項１または２記載のカラオケ選曲装置において、
前記表示手段は、前記楽曲関連情報の関連性によって、前記楽曲関連情報の表示を制御することを特徴とするカラオケ選曲装置。
【請求項４】
請求項１乃至３の何れかに記載のカラオケ選曲装置において、
前記表示手段は、前記ユーザ情報入力手段によってユーザ情報が入力された複数のユーザに関する前記出来事情報、前記楽曲関連情報をユーザ毎に区別して表示することを特徴とするカラオケ選曲装置。
【請求項５】
請求項４記載のカラオケ選曲装置において、
前記出来事情報に対応する前記複数のユーザ毎の前記楽曲情報を比較し、少なくとも一つの楽曲情報が前記複数のユーザ毎の前記楽曲情報に共通に含まれるか否かを判定する楽曲情報比較手段を更に備え、
前記表示部は、前記楽曲情報比較手段によって、少なくとも一つの楽曲情報が前記複数のユーザ毎の前記楽曲情報に共通に含まれると判定される場合には、前記少なくとも一つの楽曲情報が関連する前記楽曲関連情報の少なくとも一部を重ねて表示することを特徴とするカラオケ選曲装置。
【請求項６】
請求項１乃至５の何れかに記載のカラオケ選曲装置において、
前記楽曲関連情報は、前記出来事情報に対応する前記楽曲情報の数を大きさで示す情報または前記楽曲情報の属性情報の少なくとも何れか一つを示す視認できる態様の情報であることを特徴とするカラオケ選曲装置。
【請求項７】
請求項１乃至６の何れかに記載のカラオケ選曲装置において、
前記表示手段に表示される前記楽曲関連情報が選択される楽曲関連情報選択手段をさらに備え、
前記ユーザ情報選択手段によって前記楽曲関連情報が選択されると、前記出来事情報に対応する前記楽曲情報が表示されることを特徴とするカラオケ選曲装置。
【請求項８】
カラオケ選曲装置の制御方法であって、
ユーザ情報が入力されるユーザ情報入力工程と、
前記ユーザ情報入力工程において入力された前記ユーザ情報に対応する年齢情報を抽出する年齢情報抽出工程と、
前記年齢情報抽出工程において抽出された前記年齢情報に対応する出来事情報を設定する出来事情報設定工程と、
前記出来事情報設定工程において設定された前記出来事情報に対応する楽曲情報を抽出する楽曲情報抽出工程と、
前記楽曲情報抽出工程において抽出された、前記出来事情報に対応する前記楽曲情報から前記楽曲情報に関連する楽曲関連情報を生成する楽曲関連情報生成工程と、
前記出来事情報を、時間を表す単位の順を追って表示し、前記出来事情報に対応する前記楽曲情報に関連する、前記楽曲関連情報生成工程において生成された楽曲関連情報を表示する表示工程と、
を備えることを特徴とするカラオケ選曲装置の制御方法。
【請求項９】
カラオケ選曲装置の制御プログラムであって、
ユーザ情報が入力されるユーザ情報入力手段、
前記ユーザ情報入力手段によって入力された前記ユーザ情報に対応する年齢情報を抽出する年齢情報抽出手段、
前記年齢情報抽出手段によって抽出された前記年齢情報に対応する出来事情報を設定する出来事情報設定手段、
前記出来事情報設定手段によって設定された前記出来事情報に対応する楽曲情報を抽出する楽曲情報抽出手段、
前記楽曲情報抽出手段によって抽出された、前記出来事情報に対応する前記楽曲情報から前記楽曲情報に関連する楽曲関連情報を生成する楽曲関連情報生成手段、
前記出来事情報を、時間を表す単位の順を追って表示し、前記出来事情報に対応する前記楽曲情報に関連する、前記楽曲関連情報生成手段によって生成された楽曲関連情報を表示する表示手段、
として機能させることを特徴とするカラオケ選曲装置の制御プログラム。
【発明の詳細な説明】
【技術分野】
【０００１】
本発明は、カラオケ選曲装置、カラオケ選曲装置の制御方法、及びカラオケ選曲装置の制御プログラム並びにその情報記録媒体に関する。
【背景技術】
【０００２】
多数の演奏曲のうちから選択される演奏曲を出力させるカラオケボックス等で使用されるカラオケ装置、および、これらのカラオケ装置がネットワークを介して接続されたカラオケシステムが知られている。このようなカラオケ装置およびカラオケシステムでは、予め記憶装置に記憶された多数のカラオケ演奏曲から選択されたカラオケ演奏曲の音楽情報を出力させると共に、そのカラオケ演奏曲の歌詞情報を含む映像をその出力に同期して画面に表示させることで、所望の歌のカラオ演奏を楽しむことが可能である。
【０００３】
このようなカラオケ装置およびカラオケシステムにおいて、同席しているユーザがユーザ個別に楽曲を選曲するために、ユーザＩＤ等のユーザ情報に基づいてユーザが歌唱したことがある楽曲をユーザ別に表示するカラオケシステムが特許文献１に開示されている。
【０００４】
また、所定の検索条件に適合した検索結果の一覧表示から、利用者の利用者別歌唱履歴管理手段により、絞り込んだ楽曲を利用者毎に表示するカラオケシステムが特許文献２に開示されている。
【０００５】
さらに、利用者の好むカラオケ楽曲の年代を特定し、その年代の範囲にはどのような楽曲があるかを容易かつ効率的に検索して一覧表示するカラオケシステムが特許文献３に開示されている。
【０００６】
さらに、選曲者の属性データ、特に年齢をもとにその選曲者の音楽的感性が刺激されたであろう年代の楽曲を抽出し、選曲者の嗜好に合う楽曲の選択作業を容易、迅速なものとするカラオケシステムが特許文献４に開示されている。
【先行技術文献】
【特許文献】
【０００７】
【特許文献１】特開２００９−０８６３０１号公報
【特許文献２】特開２００６−３３７４０８号公報
【特許文献３】特開２００５−２８３８０５号公報
【特許文献４】特開２００４−２１２５９６号公報
【発明の概要】
【発明が解決しようとする課題】
【０００８】
以上に記載した技術のように、従来から、カラオケの楽曲を検索する際に、西暦等の年代情報や、中学２年生等の自身の学生時代の学年情報などの検索条件により、その年代にヒットした楽曲を検索する方法は提示されていた。
【０００９】
しかし、検索される楽曲は個人の年齢に対応する楽曲が検索されるだけであり、カラオケボックスにて同席する他のユーザにとっては特に面白みのある検索方法ではなかった。また、検索される楽曲は一般的な流行の曲であり、自身が実際に特別な感情をもって歌唱し、または聴いていた、いわゆる想い出の楽曲を検索することは出来なかった。
【００１０】
そこで、本発明は上記の課題に鑑みて為されたもので、その目的の一例は、ユーザの歌唱履歴や着うた、楽曲データ、CD等のコンテンツの購入履歴を参照して、ユーザの曲を基準とした個人年表を作成し、カラオケボックス内で歌唱する複数のユーザのそれぞれに関連する楽曲を提示することが一例として挙げられる。このような選曲により、同席するユーザ同士が世代の違いを楽しみつつ、出来事情報や共通の楽曲を通じた話題が提供されることで、ユーザが会話を楽しみ、楽しく歌唱できるカラオケ選曲装置、カラオケ選曲装置の制御方法、及びカラオケ選曲装置の制御プログラム並びにその情報記録媒体を提供することができる。
【課題を解決するための手段】
【００１１】
上記課題を解決するために、請求項１に記載の発明は、カラオケ選曲装置であって、ユーザ情報が入力されるユーザ情報入力手段としてのユーザ情報入力部４０と、前記ユーザ情報入力手段によって入力された前記ユーザ情報に対応する年齢情報を抽出する年齢情報抽出手段としての年齢情報抽出部１０１と、前記年齢情報抽出手段によって抽出された前記年齢情報に対応する出来事情報を設定する出来事情報設定手段としての出来事情報設定部１０２と、前記出来事情報設定手段によって設定された前記出来事情報に対応する楽曲情報を抽出する楽曲情報抽出手段としての楽曲情報抽出部１０３と、前記楽曲情報抽出手段によって抽出された、前記出来事情報に対応する前記楽曲情報から前記楽曲情報に関連する楽曲関連情報を生成する楽曲関連情報生成手段としての楽曲情報分類部１０４と、前記出来事情報を、時間を表す単位の順を追って表示し、前記出来事情報に対応する前記楽曲情報に関連する、前記楽曲関連情報生成手段によって生成された楽曲関連情報を表示する表示手段としての表示部３０と、を備えることを特徴とする。
【００１２】
ここで出来事情報には、一例として、ユーザ情報入力部４０から入力されたユーザ情報から抽出された年齢情報に基づいて出来事情報設定部１０２によって自動的に設定される生誕、小学校入学、小学校卒業、中学入学、中学卒業、高校入学、高校卒業、成人式などの出来事と、あらかじめ、ユーザがカラオケ選曲装置の出来事情報入力部４６ｂを介して入力した失恋、結婚、出産等の情報とがある。
【００１３】
また、出来事情報には、出来事に対応するユーザの年齢、出来事が起きた年月日が含まれる。
【００１４】
出来事情報には、あらかじめ出来事に対応した年齢が付されている。例えば、中学卒業には１５歳、高校卒業には１８歳、成人式には２０歳が付されており、ユーザの現在の年齢またはユーザの生年月日と、現在の年月日から、各出来事情報の年月日が算出される。
【００１５】
また、出来事情報に含まれる出来事が起きた年月日を基に、ユーザの歌唱履歴情報からユーザが歌唱した年月日を参照し、対応する年月日を有する楽曲情報を抽出する。なお、年月日は完全同一ではなく、任意の範囲内の年月日を有する楽曲情報が抽出される。
【００１６】
また、時間を表す単位には、年、月、日等の任意の単位を用いることができる。
【００１７】
この構成によれば、カラオケ情報提供サービス会社が提供するサービスを有するカラオケ選曲装置において、ユーザの歌唱履歴や着うた、楽曲データ、ＣＤ等のコンテンツの購入履歴を参照し、ユーザの年齢に基づく個人年表を作成し、個人年表上にユーザにとって関心のある楽曲の存在を表示することができるので、表示された個人年表をもとにカラオケの選曲ができる。
【００１８】
表示される画面は、カラオケのリモコン装置上やパソコン、モバイル端末の画面上に表示することが可能である。
【００１９】
また、上記年表画面はマイページから選択され、表示が切り替わることで表示されてもよく、共通ページからユーザが選択されて表示が切り替わることで上記年表画面が表示されてもよい。
【００２０】
複数ユーザでログインしている場合には、他ユーザの情報も年表に表示し、ユーザの歌唱履歴や着うた、楽曲データ、ＣＤ等のコンテンツの購入履歴に共通するユーザが歌唱できる楽曲を年表上に視覚的に表示する。
【００２１】
すなわち、複数ユーザでログインしている場合には、同席している他のユーザに関する楽曲も出来事情報を介して表示されるので、同席しているユーザ同士に共通する話題提供が可能になり、みんなで楽しく会話をしながらカラオケを選曲し歌唱することができる。
【００２２】
また、カラオケシステムに出来事情報を登録後は、カラオケシステムにおいて年表が更新され続けるので、ユーザは個人年表を見ながらあの時代、あんな曲を歌ったな〜という振り返りを視覚的に楽しむことができる。
【００２３】
なお、歌唱履歴情報には、ユーザが過去に歌唱したことがある楽曲の楽曲情報、ユーザがその楽曲を歌唱したときの採点結果である点数を示す採点結果情報、その楽曲を歌唱したときの日時情報、ユーザの好みのアーティストおよびジャンル等を示す嗜好情報、ユーザとフレンド登録された他のユーザ情報等の情報が含まれる。
【００２４】
さらに、楽曲情報にはアーティスト情報、ジャンル情報およびその他の楽曲付加情報（曲名、作曲・作詞者名、ジャンル名、発表年代／放送年代、主に話題となった人物、楽曲情報が使用された番組名等の情報）が含まれる。
【００２５】
上記課題を解決するために、請求項２に記載の発明は、請求項１記載のカラオケ選曲装置において、前記楽曲関連情報生成手段は、前記出来事情報に対応する少なくとも二つ以上の前記楽曲情報が共通の属性情報を有する場合に、前記共通の属性情報毎に前記楽曲関連情報を生成することを特徴とする。
【００２６】
この構成によれば、出来事情報に対応する楽曲が複数ある場合に、楽曲情報に共通の属性情報（例えば、楽曲のイメージ情報（楽しい、嬉しい、悲しい、怖い等のイメージ情報）、楽曲のジャンル情報、楽曲のアーティスト情報等の属性情報）に分類され、分類毎にまとめられて複数の楽曲が一つの楽曲関連情報として表示されるので、ユーザは楽曲関連情報から想い出に対応する出来事毎にどのような楽曲があるかを楽しみながら眺め、しかも複数の楽曲に共通する特徴を容易に視認することができる。
【００２７】
この場合の楽曲関連情報は、楽曲のジャンル、楽曲のアーティスト、楽曲のイメージを文字等の情報で示してもよい。
【００２８】
上記課題を解決するために、請求項３に記載の発明は、請求項１または２記載のカラオケ選曲装置において、前記表示手段は、前記楽曲関連情報の関連性によって、前記楽曲関連情報の表示を制御することを特徴とする。
【００２９】
この構成によれば、相互に関連する楽曲関連情報は、例えば近くに表示され、相互に関連しない楽曲関連情報は、例えば離れて表示されるので、ユーザの出来事ごとの歌唱傾向を視認しやすい。
【００３０】
一例として、ある出来事情報に対応するＡ曲、Ｂ曲において、Ａ曲の曲イメージが「楽しい」、Ｂ曲の曲イメージが「嬉しい」であった場合には、イメージによって分類した楽曲関連情報同士を近くに表示する。また、ある出来事情報に対応するA曲、C曲において、A曲の曲イメージが「楽しい」、C曲の曲イメージが「悲しい」であった場合、イメージによって分類した楽曲関連情報同士を遠くに表示する。
【００３１】
また、他の一例として、ある出来事情報に対応するA曲、Ｂ曲において、Ａ曲のジャンルがロック、Ｂ曲のジャンルがハードロックの場合、ジャンルによって分類した楽曲関連情報同士を近くに表示する。また、ある出来事情報に対応するA曲、C曲において、Ａ曲のジャンルがロック、C曲のジャンルが演歌の場合、ジャンルによって分類した楽曲関連情報同士を遠くに表示する。
【００３２】
さらに、他の一例として、ある出来事情報に対応するD曲、E曲において、D曲の歌唱アーティストの属性と、E曲の歌唱アーティストの属性が同じであった場合、アーティストによって分類した楽曲関連情報同士を近くに表示する。また、ある出来事情報に対応するF曲、G曲において、F曲の歌唱アーティストとG曲の歌唱アーティストが同じであった場合、曲名によって分類した楽曲関連情報同士を近くに（または重ねて）表示する。
【００３３】
上記課題を解決するために、請求項４に記載の発明は、請求項１乃至３の何れかに記載のカラオケ選曲装置において、前記表示手段は、前記ユーザ情報入力手段によってユーザ情報が入力された複数のユーザに関する前記出来事情報、前記楽曲関連情報をユーザ毎に区別して表示することを特徴とする。
【００３４】
この構成によれば、複数ユーザでログインし、同席しているユーザ同士の出来事情報が区別して表示されるので、ユーザは自分の個人年表を参照しつつ他のユーザの個人年表も参照できる。
【００３５】
また、ユーザは自分の個人年表の出来事情報に対応する他のユーザの出来事情報を知ることができるので、同席しているユーザ同士の会話が弾み、楽しく選曲することができる。一例として、ユーザの出来事情報が成人式の場合に他のユーザの出来事情報が結婚である場合などがある。
【００３６】
また、ユーザの出来事情報に対応した他のユーザの出来事情報を介して楽曲を選曲できるので、選曲をする楽しみが広がる。
【００３７】
上記課題を解決するために、請求項５に記載の発明は、請求項４記載のカラオケ選曲装置において、前記出来事情報に対応する前記複数のユーザ毎の前記楽曲情報を比較し、少なくとも一つの楽曲情報が前記複数のユーザ毎の前記楽曲情報に共通に含まれるか否かを判定する楽曲情報比較手段としての楽曲情報分類部１０４を更に備え、前記表示部は、前記楽曲情報比較手段によって、少なくとも一つの楽曲情報が前記複数のユーザ毎の前記楽曲情報に共通に含まれると判定される場合には、前記少なくとも一つの楽曲情報が関連する前記楽曲関連情報の少なくとも一部を重ねて表示することを特徴とする。
【００３８】
この構成によれば、複数ユーザでログインし、同席しているユーザ同士の出来事情報が区別して表示され、複数のユーザの出来事情報にかかわる楽曲情報が共通する場合には、楽曲関連情報の少なくとも一部を重ねて表示することにより、共通した楽曲情報があることを、ユーザは視覚的に容易に認識することができる。
【００３９】
すなわち、ユーザ毎に区別して表示された楽曲関連情報の少なくとも一部を重ねて表示することで、ユーザに共有する情報があることを認識でき、合わせてその楽曲に関わる出来事情報をユーザ毎に認識することができる。
【００４０】
したがって、ユーザ同士はお互いに共通する楽曲の出来事情報を認識しながら、共通する楽曲を容易に探すことができる。
【００４１】
上記課題を解決するために、請求項６に記載の発明は、請求項１乃至５の何れかに記載のカラオケ選曲装置において、前記楽曲関連情報は、前記出来事情報に対応する前記楽曲情報の数を大きさで示す情報または前記楽曲情報の属性情報の少なくとも何れか一つを示す視認できる態様の情報であることを特徴とする。
【００４２】
この構成によれば、前記楽曲関連情報は、前記楽曲情報の数を大きさで示す情報または前記楽曲情報の属性情報の少なくとも何れか一つを示す情報であるので、どのような種類の楽曲情報がどれぐらいの数であるのかを、楽曲を選曲しようとしているユーザは容易に視覚で確認することが可能になる。例えば、出来事情報に対応して、その出来事が起きたときにどのくらいの数の楽曲をどのような気持ちで歌唱していたかを視覚的に確認することができる。
【００４３】
一例として、楽曲関連情報を円等の図形で表示し、楽曲の数が多いほど円を大きく表示し、楽曲の数が少ないほど円を小さく表示することで、ユーザが円の大きさを見れば、楽曲の数が多いのか少ないのかをユーザが容易に視認することが可能になる。
【００４４】
一例として、出来事情報に対応する楽曲情報が多い場合には、表示される楽曲関連情報が大きく表示され、出来事情報に対応する楽曲情報が少ない場合には、表示される楽曲関連情報が小さく表示される。この場合に、表示される楽曲関連情報の大きさは含まれる楽曲情報の数に比例して大きく、また、小さくしてもよい。。
【００４５】
また、他の一例として、出来事情報に対応する楽曲情報が悲しい曲調または悲しい気持ちを示す歌詞情報が含まれる場合には、表示される楽曲関連情報には悲しいことを示す漢字、例えば楽曲情報の属性情報として「悲」の文字を楽曲関連情報の領域内に表示する。また、出来事情報に対応する楽曲情報が楽しい曲調または楽しい気持ちを示す歌詞情報が含まれる場合には、表示される楽曲関連情報には楽しいことを示す漢字、例えば楽曲情報の属性情報として「楽」の文字を楽曲関連情報の領域内に表示する。さらに、出来事情報に対応する楽曲情報が嬉しい気持ちを示す曲調または嬉しい気持ちを示す歌詞情報が含まれる場合には、表示される楽曲関連情報には嬉しいことを示す漢字、例えば楽曲情報の属性情報として「嬉」の文字を楽曲関連情報の領域内に表示する。
【００４６】
なお、楽曲情報の属性情報としては漢字一字に限られず、複数の漢字、任意の英数字、属性を示す記号を用いることができる。
【００４７】
また、カラオケ情報提供サービス会社が提供するサービスにおいて、ユーザの歌唱した履歴を示す歌唱履歴情報のなかに、出来事情報に対応する楽曲情報が含まれる他のユーザのユーザ関連情報が出来事情報とともに表示されるので、ユーザは自分の出来事情報に対応した他のユーザが歌唱できる楽曲を容易に検索することができる。
【００４８】
ユーザ関連情報の一例として、ユーザのアバタ画面等のユーザ同士を識別する画像情報がある。ユーザのアバタ画面が表示されれば、ユーザ同士が誰に関する楽曲情報があるか否かを楽しく容易に認識することが可能になる。
【００４９】
また、ユーザ関連情報が表示されるユーザはユーザ情報入力部４０を介してユーザ情報が入力された他のユーザに関するユーザ関連情報であるので、一緒に同席しているユーザ同士の情報が表示される。したがって、ユーザ自身の思い出を振り返ると共に、同席ユーザにも共通の楽曲を通じて話題を提供し、楽しく歌唱してカラオケをするための楽曲を選曲することが可能になる。
【００５０】
また、カラオケ情報提供サービス会社が提供するサービスにおいて、あるユーザの年代の順を追って表示されている出来事情報から、年代の順を追って表示される他のユーザの出来事情報を見ようとする場合には、ユーザ関連情報を選択することによって簡単かつ容易に他のユーザの出来事情報を見ることができるようになる。
【００５１】
このように、画面が簡単に切り替えられることで、切り替えられた画面で他のユーザの出来事情報を年代の順を追って閲覧することが可能になる。
【００５２】
上記課題を解決するために、請求項７に記載の発明は、請求項１乃至６の何れかに記載のカラオケ選曲装置において、前記表示手段に表示される前記楽曲関連情報が選択される楽曲関連情報選択手段としての選択部１０６をさらに備え、前記ユーザ情報選択手段によって前記楽曲関連情報が選択されると、前記出来事情報に対応する前記楽曲情報が表示される。
【００５３】
この構成によれば、楽曲がたくさんある場合のその集合体を示す楽曲関連情報、または、楽曲の属性など示す楽曲関連情報が選択されると、楽曲名、歌手名などの楽曲関連情報が表示される。
【００５４】
したがって、ユーザは出来事を想い出ながら、その出来事に関連してどの程度の数の楽曲を歌唱していたか想い出し、または、その出来事に関連してどのような思いでカラオケを歌唱していたかを想い出しながらその出来事に関連する楽曲の選択画面を表示させることができる。
【００５５】
また、表示部３０には、ユーザの出来事情報に対して、年、月、日等の時間を表す単位が同時に表示されるので、出来事がいつ起きたことかを客観的に把握でき、ユーザおよび他のユーザはその出来事に対応する年にどのようなことが起こったかを想い出しやすくなる。
【００５６】
また、他のユーザは自分が何歳のときにその出来事が起きたかを把握することができ、それをきっかけに話題が増え、複数のユーザで楽しくカラオケを選曲して楽しむことができる。
【００５７】
また、ユーザは楽曲情報にさまざまな自分の出来事を出来事情報として入力し、後日さまざまな自分の出来事をその楽曲とともに思い出として振り返ることが可能になる。
【００５８】
ここで、あらかじめ入力されている出来事情報はユーザが任意の文字、記号を使用して入力することができる。一例として、あらかじめ入力されている出来事情報には、失恋、結婚、出産などの出来事が含まれる。
【００５９】
上記課題を解決するために、請求項８に記載の発明は、カラオケ選曲装置の制御方法であって、ユーザ情報が入力されるユーザ情報入力工程と、前記ユーザ情報入力工程において入力された前記ユーザ情報に対応する年齢情報を抽出する年齢情報抽出工程と、前記年齢情報抽出工程において抽出された前記年齢情報に対応する出来事情報を設定する出来事情報設定工程と、前記出来事情報設定工程において設定された前記出来事情報に対応する楽曲情報を抽出する楽曲情報抽出工程と、前記楽曲情報抽出工程において抽出された、前記出来事情報に対応する前記楽曲情報から前記楽曲情報に関連する楽曲関連情報を生成する楽曲関連情報生成工程としての楽曲情報分類工程１０４と、前記出来事情報を、時間を表す単位の順を追って表示し、前記出来事情報に対応する前記楽曲情報に関連する、前記楽曲関連情報生成工程において生成された楽曲関連情報を表示する表示工程３０と、を備えることを特徴とする。
【００６０】
上記課題を解決するために、請求項９に記載の発明は、カラオケ選曲装置の制御プログラムであって、ユーザ情報が入力されるユーザ情報入力手段、前記ユーザ情報入力手段によって入力された前記ユーザ情報に対応する年齢情報を抽出する年齢情報抽出手段、前記年齢情報抽出手段によって抽出された前記年齢情報に対応する出来事情報を設定する出来事情報設定手段、前記出来事情報設定手段によって設定された前記出来事情報に対応する楽曲情報を抽出する楽曲情報抽出手段、前記楽曲情報抽出手段によって抽出された、前記出来事情報に対応する前記楽曲情報から前記楽曲情報に関連する楽曲関連情報を生成する楽曲関連情報生成手段と、前記出来事情報を、時間を表す単位の順を追って表示し、前記出来事情報に対応する前記楽曲情報に関連する、前記楽曲関連情報手段によって生成された楽曲関連情報を表示する表示手段、として機能させることを特徴とする。
【発明の効果】
【００６１】
本発明によれば、カラオケ情報提供サービス会社が提供するサービスを有するカラオケ選曲装置において、ユーザの歌唱履歴を参照し、ユーザの年齢に基づく個人年表を作成し、個人年表上にユーザにとって関心のある楽曲の存在を表示することができるので、表示された個人年表をもとにカラオケの選曲ができる。
【００６２】
また、複数ユーザでログインしている場合には、他ユーザの情報も年表に表示し、ユーザの歌唱履歴に共通するユーザが歌唱できる楽曲を年表上に視覚的に表示する。
【００６３】
すなわち、複数ユーザでログインしている場合には、同席している他のユーザに関する楽曲も出来事情報を介して表示されるので、同席しているユーザ同士に共通する話題提供が可能になり、みんなで楽しく会話をしながらカラオケを選曲し歌唱することができる。
【００６４】
また、同席している他のユーザが歌唱できる楽曲が表示されるので、ユーザ同士の会話がはずみ、みんなで楽しくカラオケを選曲し、歌唱することができる。
【００６５】
さらに、カラオケシステムに出来事情報を登録後は、カラオケシステムにおいて年表が更新され続けるので、ユーザは個人年表を見ながらあの時代、あんな曲を歌ったな〜という振り返りを視覚的に楽しむことができる。
【００６６】
また、複数ユーザでログインして同席してカラオケを楽しんでいる場合には、同席しているユーザ同士の出来事情報が区別して表示されるので、ユーザは自分の個人年表を参照しつつ他のユーザの個人年表も参照できる。
【００６７】
さらに、ユーザは自分の個人年表の出来事情報に対応する他のユーザの出来事情報を知ることができるので、同席しているユーザ同士の会話が弾み、楽しく楽曲を選曲することができる。一例として、ユーザの出来事情報が成人式の場合に他のユーザの出来事情報が結婚である場合などがある。
【００６８】
さらに、ユーザの出来事情報に対応した他のユーザの出来事情報を介して楽曲を選曲できるので、選曲をする楽しみが広がる。
【００６９】
また、複数ユーザでログインし、同席しているユーザ同士の出来事情報が区別して表示され、複数のユーザの出来事情報にかかわる楽曲情報が共通する場合には、楽曲関連情報の少なくとも一部を重ねて表示することにより、共通した楽曲情報があることを、ユーザは視覚的に容易に認識することができる。
【００７０】
すなわち、ユーザ毎に区別して表示された楽曲関連情報の少なくとも一部を重ねて表示することで、ユーザに共有する情報があることを認識でき、合わせてその楽曲に関わる出来事情報をユーザ毎に認識することができる。
【００７１】
したがって、ユーザ同士はお互いに共通する楽曲の出来事情報を認識しながら、共通する楽曲を容易に探すことができる。
【００７２】
また、楽曲関連情報は、楽曲情報の数を示す数情報または前記楽曲情報の属性情報の少なくとも何れか一つを示す情報であるので、どのような種類の楽曲情報がどれぐらいの数であるかを、楽曲を選曲しようとしているユーザは容易に視覚で確認することが可能になる。例えば、出来事情報に対応して、その出来事が起きたときにどのくらいの数の楽曲をどのような気持ちで歌唱していたかを視覚的に確認することができる。
【００７３】
また、カラオケ情報提供サービス会社が提供するサービスにおいて、ユーザが歌唱した履歴を示す歌唱履歴情報のなかに、出来事情報に対応する楽曲情報が含まれる他のユーザのユーザ関連情報が出来事情報とともに表示されるので、ユーザは自分の出来事情報に対応した他のユーザが歌唱できる楽曲を容易に検索することができる。
【００７４】
ユーザ関連情報の一例として、ユーザのアバタ画面等のユーザ同士を識別する画像情報がある。ユーザのアバタ画面が表示されれば、ユーザ同士が誰に関する楽曲情報があるか否かを楽しく容易に認識することが可能になる。
【００７５】
さらに、ユーザ関連情報が表示されるユーザはユーザ情報入力部４０を介してユーザ情報が入力された他のユーザに関するユーザ関連情報であるので、一緒に同席しているユーザ同士の情報が表示される。したがって、ユーザ自身の思い出を振り返ると共に、同席ユーザにも共通の楽曲を通じて話題を提供し、楽しく歌唱してカラオケをするための楽曲を選曲することが可能になる。
【００７６】
また、カラオケ情報提供サービス会社が提供するサービスにおいて、あるユーザの年代の順を追って表示されている出来事情報から、他のユーザの年代の順を追って表示される出来事情報を見ようとする場合には、ユーザ情報を選択することによって簡単かつ容易に他のユーザの出来事情報を見ることができるようになる。
【００７７】
このように、画面が簡単に切り替えられることで、切り替えられた画面で他のユーザの出来事情報を閲覧することが可能になる。
【００７８】
また、楽曲がたくさんある場合のその集合体を示す楽曲関連情報、または、楽曲の属性など示す楽曲関連情報が選択されると、楽曲名、歌手名などの楽曲関連情報が表示される。
【００７９】
したがって、ユーザは出来事を想い出ながら、その出来事に関連してどの程度の数の楽曲を歌唱していたか想い出し、または、その出来事に関連してどのような思いでカラオケを歌唱していたかを想い出しながらその出来事に関連する楽曲の選択画面を表示させることができる。
【００８０】
また、表示部３０には、ユーザの出来事情報に対して、年代情報が同時に表示されるので、出来事がいつ起きたことかを客観的に把握できるので、ユーザおよび他のユーザはその出来事に対応する年にどのようなことが起こったかを想い出しやすくなる。
【００８１】
さらに、他のユーザは自分が何歳のときにその出来事が起きたかを把握することができ、それをきっかけに話題が増え、複数のユーザで楽しくカラオケを選曲して楽しむことができる。
【００８２】
また、ユーザは楽曲情報にさまざまな自分の出来事を出来事情報として入力し、後日さまざまな自分の出来事、一例として失恋、結婚、出産等の出来事を楽曲とともに思い出として振り返ることが可能になる。
【図面の簡単な説明】
【００８３】
【図１】システム構成の一例を示す図である。
【図２】カラオケ装置のブロック図の一例である。
【図３】カラオケ装置の機能ブロック図の一例である。
【図４】第１実施形態における動作を説明するフローチャートの一例である。
【図５】第２実施形態における動作を説明するフローチャートの一例である。
【図６】第１実施形態におけるその他のユーザが選択された表示画面の一例を示す図である。
【図７】図６の画面において選択された情報を表示する表示画面の一例を示す図である。
【図８】第２実施形態における表示画面の一例を示す図である。
【図９】図８の画面において選択された情報を表示する表示画面の一例を示す図である。
【図１０】第３実施形態における表示画面の一例を示す図である。
【図１１】ユーザ情報の一例を示す図である。
【図１２】楽曲のイメージを楽曲関連情報とした個人年表の一例を示す図である。
【発明を実施するための形態】
【００８４】
以下、本発明の最良の実施形態を図面に基づいて説明する。なお、本発明は、有線または無線による電子通信回線を通じて情報をダウンロードできる全ての電子情報機器に対して適用することも可能である。
【００８５】
［１．システム構成の一例］
図１は、本発明が好適に適用されるカラオケシステム１０を説明するブロック図である。この図１に示すように、カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ本発明の一実施例である１台乃至は複数台ずつ（図１では１台ずつ）のカラオケ選曲装置としての機能を含むカラオケ装置１６ａ、１６ｂ、１６ｃ、・・・（以下、特に区別しない場合には単にカラオケ装置１６と称する）が設置されている。
【００８６】
これら複数のカラオケ選曲装置としての機能を含むカラオケ装置１６は、ルータ１７を介して公衆電話回線等による通信回線１８に接続されており、同じくその通信回線１８に接続されたカラオケサービス提供会社のサーバ装置２０との相互間でその通信回線１８を介して情報の通信が可能になっている。
【００８７】
このカラオケサービス提供会社のサーバ装置２０は、カラオケ情報（楽曲データ）、背景映像情報、曲間情報等のデジタルコンテンツ（Digital Contents）の保管や入出力管理の基本的な制御を行うサーバであり、通信回線１８を介してカラオケ装置１６に定期的にコンテンツの配信を行うと共に、そのカラオケ装置１６からの要求に応じて所定の機能制御プログラムを送信するものである。
【００８８】
また、カラオケシステム１０は、複数の電子装置２２ａ、２２ｂ、２２ｃ、・・・（以下、特に区別しない場合には単に電子装置２２と称する）を備えており、カラオケ装置１６の利用に際して、各利用者（グループ）毎に１台ずつの電子装置２２が貸与され、各個室１４において後述するようにカラオケ装置１６の遠隔操作装置として用いられるようになっている。
【００８９】
店舗１２内には複数のカラオケ装置１６を相互に接続するＬＡＮ２４が敷設されており、電子装置２２からのカラオケ装置１６への入力は、所定のアクセスポイント２６及びＬＡＮ２４を介したＬＡＮ通信等により行われる。
【００９０】
また、カラオケシステム１０は、所定のアプリがインストールされることによりカラオケ装置１６の遠隔操作装置等として機能する複数の携帯電話機２８ａ、２８ｂ、２８ｃ、・・・（以下、特に区別しない場合には単に携帯電話機２８と称する）を備えている。これら携帯電話機２８は、例えば、前記カラオケ装置１６によりカラオケ演奏を行う各利用者の個人所有に係るものである。
【００９１】
図２は、本実施例のカラオケ装置１６の構成を例示するブロック線図である。
【００９２】
この図２に示すように、カラオケ装置１６は、ＣＲＴ（Cathode-ray Tube）やＴＦＴ（Thin Film Transistor Liquid Crystal）等の表示部３０と、ＣＲＴコントローラ等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェース４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、電子装置２２やリモコン装置６４等の入力装置からのリモコン信号を受信するためのリモコン受信部６２とを、備えて構成されている。
【００９３】
映像出力制御部３２は、ＣＰＵ５０において生成された歌詞文字映像等の文字映像（テロップ）を出力する文字映像出力装置として機能する他に、表示部３０による種々の映像表示を制御する表示制御装置として機能する。
【００９４】
また、映像情報デコーダ３４は、利用者が歌詞を参照しながら歌を歌う際にハードディスク５６に記憶された背景映像情報に基づいて所定の背景映像を再生（デコード）する背景映像再生装置である。このような背景映像情報に基づいて映像情報デコーダ３４により再生された背景映像は、ビデオミキサ３６へ送られる。
【００９５】
また、ビデオミキサ３６は、ＣＰＵ５０において生成され且つ映像出力制御部３２から出力される文字映像と、映像情報デコーダ３４により再生される背景映像とを合成して表示部３０に表示させる映像合成装置である。
【００９６】
シンセサイザ３８は、ハードディスク５６から読み出されて転送されるカラオケ演奏曲の演奏情報に基づいて楽器の演奏信号等の音楽信号を生成する音源である。
【００９７】
この演奏情報は、例えば、ＭＩＤＩ（Musical Instrument Digital Interface）形式のデータであり、そのＭＩＤＩデータに基づいてシンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されてスピーカ４４から出力される。
【００９８】
操作パネル４６は、カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。
【００９９】
また、カラオケ装置１６には、操作パネル４６の一部機能を遠隔で実行するための入力装置として機能するリモコン装置６４が備えられている。リモコン受信部６２は、そのリモコン装置６４から送信されるリモコン信号を受信してＣＰＵ５０へ供給する。
【０１００】
また、カラオケ装置１６と電子装置２２との対応付け処理もリモコン受信部６２を介して行われ、そのようにしてカラオケ装置１６に対応付けられた電子装置２２も同様に入力装置として機能する。
【０１０１】
また、前述のように、カラオケ装置１６に対する情報送信機能を有する携帯電話機２８も同様に入力装置として機能する。なお、本実施例においては、カラオケ装置１６の入力装置として機能する電子装置２２、携帯電話機２８、及びリモコン装置６４等は、そのカラオケ装置１６の一部として備えられたものとして以下の説明を行う。
【０１０２】
ＣＰＵ５０は、ＲＡＭ５４の一時記憶機能を利用しつつＲＯＭ５２に予め記憶された所定のプログラムに基づいて電子情報を処理・制御する所謂マイクロコンピュータである。
【０１０３】
電子装置２２やリモコン装置６４等により所定のカラオケ演奏曲が選曲された場合、その選曲されたカラオケ演奏曲をＲＡＭ５４に設けられた予約曲テーブルに登録する。
【０１０４】
また、その予約曲テーブルの演奏順に従ってハードディスク５６からＲＡＭ５４に選曲されたカラオケ演奏曲の演奏情報及び歌詞情報等を読み出し、カラオケ演奏曲の演奏が進行するのに応じてそのＲＡＭ５４からシンセサイザ３８へ演奏情報を送信し、歌詞情報に基づいて歌詞文字映像を生成して映像出力制御部３２へ送り、選曲時には曲名文字映像を生成して映像出力制御部３２へ送り、映像情報デコーダ３４を制御して所定の背景映像を再生させる。
【０１０５】
モデム５８は、カラオケ装置１６を公衆電話回線等による通信回線１８に接続するための装置である。
【０１０６】
ＣＰＵ５０から出力されるデジタル信号をアナログ信号に変換して通信回線１８に送り出すと共に、その通信回線１８を介して伝送されるアナログ信号をデジタル信号に変換してＣＰＵ５０に供給する処理を実行する。
【０１０７】
なお、店舗１２に備えられた複数のカラオケ装置１６のうち何れかのカラオケ装置１６がルータ１７の機能を備えてマスターコマンダとして通信回線１８に接続されてもよい。
【０１０８】
この場合、モデム５８はそのマスターコマンダとして機能するカラオケ装置１６に必要とされるが、マスターコマンダを介してサーバ装置２０との間で情報の通信を行う他のカラオケ装置１６には必ずしも設けられなくともよい。
【０１０９】
ＬＡＮポート６０は、カラオケ装置１６がＬＡＮ２４を介して他のカラオケ装置１６や電子装置２２等の他の機器と接続するための接続器である。
【０１１０】
カラオケ装置１６は、そのようにＬＡＮ２４を介して接続されることで、他のカラオケ装置１６や電子装置２２等の他の機器との間で情報の送受信が可能となる。
【０１１１】
例えば、アクセスポイント２６を介して受信される電子早見本装置２２からの選曲入力を受け付けてＲＡＭ５４に設けられた予約曲テーブルに記憶し、そのアクセスポイント２６を介してカラオケ装置１６から電子装置２２へ所定の情報を送信するなど、電波を介してカラオケ装置１６と電子装置２２との間において相互の情報のやりとりが実行される。
【０１１２】
ハードディスク５６には、カラオケ演奏曲を出力させるための多数のカラオケデータ（楽曲データ）を記憶するカラオケデータベース１２８及び背景映像を出力させるための複数の背景映像情報（映像データ）を記憶する背景映像データベース１３０をはじめとする各種データベースが設けられている。
【０１１３】
カラオケボックス等の店舗にそれぞれ備えられた複数のカラオケ装置１６のうち所定のカラオケ装置１６（例えばカラオケ装置１６ａ）は、モデム５８を介して通信回線１８に接続されており、複数のカラオケ装置１６によって常に新しい曲が演奏可能とされるように、或いは常に新しい背景映像が出力可能とされるように、随時新たな楽曲データや映像データ等がサーバ装置２０から通信回線１８を介して配信され、ハードディスク５６のカラオケデータベース１２８等に記憶される。
【０１１４】
また、そのようにしてサーバ装置２０から情報を取得したカラオケ装置１６ａとその他のカラオケ装置１６との間でＬＡＮ２４を介した通信が行われ、各カラオケ装置１６のハードディスク５６に記憶される情報が共有され、カラオケデータベース１２８や背景映像データベース１３０等の内容が同一のものとなる。
【０１１５】
カラオケデータベース１２８には、カラオケ装置１６のカラオケ演奏に用いられる多数（例えば、数万曲）のカラオケ情報が記憶されている。このカラオケ情報は、例えば、シンセサイザ３８により所定の出力音（楽器の演奏音）を生成するための演奏情報、その演奏曲の出力と併行してその演奏曲の歌詞文字映像を表示させるための歌詞情報、演奏曲の出力と併行してその歌詞文字映像を順次色替表示させるための歌詞色替情報、及びその歌詞文字映像の背面側レイヤに表示される背景映像を指定する背景映像指定情報等から成るものであり、コンテンツＩＤである各演奏曲に固有の選曲番号により識別される。
【０１１６】
また、背景映像データベース１３０には、映像情報デコーダ３４により所定の映像を再生するための複数の背景映像情報が記憶されている。この背景映像情報は、例えば、ＭＰＥＧ（Moving Picture Experts Group）形式のデータであり、各映像情報に固有の識別情報により識別される。
【０１１７】
［２．カラオケ装置の処理機能ブロックの説明］
ここで、本発明の機能を発揮するための構成について、図３に示す機能ブロック図を用いて説明する。
【０１１８】
カラオケ選曲装置としての機能を有するカラオケ装置１６の記憶部１０９には、ユーザが歌唱する楽曲に関する楽曲情報、楽曲情報に対応するユーザ情報、楽曲情報およびユーザ情報に対応するユーザが歌唱した履歴をあらわす歌唱履歴情報が記憶されている。
【０１１９】
また、楽曲情報にはアーティスト情報、ジャンル情報およびその他の楽曲付加情報（曲名、作曲・作詞者名、ジャンル名、発表年代／放送年代、主に話題となった人物、楽曲情報が使用された番組名等の情報）が含まれ、楽曲のユーザ情報にはユーザの好みのアーティストおよびジャンル等を示す嗜好情報が含まれて記憶部１０９に記憶されている。
【０１２０】
なお、ユーザ毎に生成される歌唱履歴情報の詳細構成は後に詳述する。
【０１２１】
これらの情報はカラオケ情報提供サービス会社等の会社がサーバ装置２０にアップロードするので、カラオケ選曲装置としての機能を有するカラオケ装置１６はアップロードされた情報を予めカラオケ装置１６の記憶部１０９にダウンロードして記憶しておく。
【０１２２】
あるいは、ユーザがこれらの情報をカラオケ選曲装置としての機能を有するカラオケ装置１６に入力することで、必要に応じて関連付けされて記憶部１０９に記憶されてもよい。
【０１２３】
なお、これらの情報はサーバ装置２０に記憶され、必要な場合に必要な情報を、適宜、サーバ装置２０からカラオケ装置１６の記憶部１０９にダウンロードしてカラオケ選曲装置としての機能を有するカラオケ装置１６がダウンロードした情報を使用することも可能である。
【０１２４】
ユーザ情報入力部４０はユーザ情報が入力されるユーザ情報入力手段として機能する。
【０１２５】
ユーザ情報入力部４０に入力されるユーザ情報は、カラオケ情報提供サービス会社等の会社によって予め定められている任意の数字または／および文字からなる情報、またはユーザの名称等の任意の情報である。
【０１２６】
年齢情報抽出部１０１はユーザ情報入力手段として機能するユーザ情報入力部４０によって入力されたユーザ情報に対応する年齢情報を抽出する年齢情報抽出手段として機能する。
【０１２７】
ユーザ情報にはユーザの生年月日が含まれるので、ユーザの生年月日と、ユーザがユーザ情報入力部４０を介してユーザ情報を入力した時点の年月日とから、ユーザの年齢を演算し、ユーザの年齢情報として抽出することができる。
【０１２８】
また、ユーザの生年月日に関する情報が無い場合には、ユーザ情報としてユーザ登録等の登録をした年月日とそのときにユーザが登録した年齢から年齢情報抽出部１０１はユーザの年齢情報を抽出することができる。
【０１２９】
出来事情報設定部１０２は、年齢情報抽出手段として機能する年齢情報抽出部１０１によって抽出された年齢情報に対応する出来事情報を設定する出来事情報設定手段として機能する。
【０１３０】
出来事情報には、あらかじめ出来事に対応した年齢が付されている。例えば、中学卒業には１５歳、高校卒業には１８歳、成人式には２０歳が付されており、ユーザの現在の年齢またはユーザの生年月日と、現在の年月日から、各出来事情報の年月日が算出される。
【０１３１】
一例として、２０１０年３月現在で２８歳のユーザであれば、１９９７年３月に中学卒業、２０００年３月に高校卒業、２００２年に成人式と計算される、また、誕生年月日が１９８１年８月２５日と設定されていれば、誕生日から計算することも可能である、この場合、出来事には、１５歳誕生日、１６歳誕生日・・・・などといった情報も付与可能である。
【０１３２】
したがって、ユーザ情報入力部４０から入力されたユーザ情報から抽出された年齢情報に基づいてユーザの生誕、小学校入学、小学校卒業、中学入学、中学卒業、高校入学、高校卒業、成人式などの出来事を出来事情報として出来事情報設定部１０２が設定する。
【０１３３】
また、出来事情報設定部１０２は、年齢情報に対応する出来事情報がユーザによってあらかじめ入力されている場合には、あらかじめ入力されている出来事情報を設定する機能を有する。
【０１３４】
すなわち、これらの出来事情報は出来事情報入力部４６ｂによってユーザ自身が入力して、設定することもできる。
【０１３５】
例えば、あらかじめ、ユーザが出来事情報として出来事情報入力部４６ｂを介して失恋、結婚、出産等の情報を、その出来事が起きたときのユーザ自身の年齢または年月日とともに入力すると、関連付け部１０８はユーザの出来事情報とユーザの年齢情報とをユーザ情報に関連付け、記憶部１０９に記憶し、またはサーバ装置２０に送信する。
【０１３６】
また、例えば、出来事情報入力部４６ｂを使用して高校卒業時の年齢を修正し、大学入学時の年齢をユーザが入力することもできる。
【０１３７】
楽曲情報抽出部１０３は、出来事情報設定手段として機能する出来事情報設定部１０２によって設定された出来事情報に対応する楽曲情報を抽出する楽曲情報抽出手段として機能する。
【０１３８】
たとえば、１９９７年３月中学卒業に対応する楽曲情報を抽出する場合、歌唱履歴中の歌唱した日時を参照し、１９９７年２月１５日にＡ曲を歌ったという履歴があった場合、１９９７年２月１５日はあらかじめ設定された任意の範囲内であるとし、Ａ曲を楽曲情報として抽出する。（この場合、出来事情報の年月（１９９７年３月）の前一ヶ月の間に歌唱した年月日を有する楽曲を対応する楽曲情報として抽出している）もちろん、歌唱履歴以外に、コンテンツ購入履歴を参照することも可能である。
【０１３９】
ユーザの歌唱履歴情報はユーザ情報に対応付けられて記憶部１０９に記憶されている。また、歌唱履歴情報には、ユーザが歌唱した日付を示す歌唱日付情報と、ユーザが歌唱した楽曲を示す楽曲情報が含まれる。
【０１４０】
したがって、出来事情報設定部１０２によって設定された出来事情報が起きた年月日と歌唱履歴情報から、そのときに歌唱していた楽曲情報を抽出することができる。
【０１４１】
なお、楽曲情報抽出部１０３が楽曲情報を抽出する場合の、出来事情報に対応する期間は日付単位、週単位、月単位等の任意の期間を設定できる。
【０１４２】
例えば、出来事情報が起きた日に歌唱された楽曲情報を抽出させ、出来事情報が起きた前後の週に歌唱された楽曲情報を抽出させ、また出来事情報が起きた日に歌唱された楽曲情報を抽出させ、また出来事情報が起きた年に歌唱された楽曲情報を抽出させるようにしてもよい。
【０１４３】
これらの期間の設定は、カラオケ情報提供サービス会社等の会社があらかじめ設定し、または、ユーザがカラオケ装置１６を介して入力することができる。
【０１４４】
表示部３０は、出来事情報を年代の順を追って表示し、前記出来事情報に対応する前記楽曲情報に関連する楽曲関連情報を表示する表示手段として機能する。
【０１４５】
すなわち、表示部３０は出来事情報を年代順に順番に表示し、出来事情報に対応させて楽曲関連情報を表示する。
【０１４６】
楽曲情報分類部１０４は、出来事情報に対応する楽曲情報に共通する特徴を示す情報としての楽曲関連情報を分類する機能を有する。。
【０１４７】
また、楽曲情報抽出部１０３によって抽出された、出来事情報に対応する楽曲情報から楽曲情報に関連する楽曲関連情報を生成する楽曲関連情報生成手段としての機能を有する。
【０１４８】
楽曲関連情報は、出来事情報に対応する楽曲情報に共通する特徴を示す情報であり、
文字、図形、記号、色彩またはこれらの組み合わせで表示部３０にユーザが視認しやすい状態で表示される。
【０１４９】
楽曲関連情報は、前記出来事情報に対応する前記楽曲情報の数を大きさで示す情報または前記楽曲情報の属性情報の少なくとも何れか一つを示す情報である。
【０１５０】
一例として、図６に示すように出来事情報に対応する楽曲情報の数が多い場合には楽曲関連情報は大きい図形で表示される情報であり、出来事情報に対応する楽曲情報の数が少ない場合には楽曲関連情報は小さい図形で表示される情報である。
【０１５１】
また、出来事情報に対応する楽曲情報には以下のような属性情報がある。
【０１５２】
例えば、出来事情報に対応する楽曲情報が悲しい曲調または悲しい気持ちを示す歌詞情報が含まれる場合には、表示される楽曲関連情報には悲しいことを示す漢字、例えば楽曲情報の属性情報として「悲」の文字を楽曲関連情報の領域内に表示する。また、出来事情報に対応する楽曲情報が楽しい曲調または楽しい気持ちを示す歌詞情報が含まれる場合には、表示される楽曲関連情報には楽しいことを示す漢字、例えば楽曲情報の属性情報として「楽」の文字を楽曲関連情報の領域内に表示する。さらに、出来事情報に対応する楽曲情報が嬉しい気持ちを示す曲調または嬉しい気持ちを示す歌詞情報が含まれる場合には、表示される楽曲関連情報には嬉しいことを示す漢字、例えば楽曲情報の属性情報として「嬉」の文字を楽曲関連情報の領域内に表示する。
【０１５３】
なお、楽曲情報の属性情報としては漢字一字に限られず、複数の漢字、任意の英数字、属性を示す記号を用いることができる。
【０１５４】
また、楽曲情報比較手段としての楽曲情報分類部１０４は出来事情報に対応する複数のユーザ毎の楽曲情報を比較し、少なくとも一つの楽曲情報が複数のユーザ毎の楽曲情報に共通に含まれるか否かを判定する機能を有する。
【０１５５】
また、表示部３０は、ユーザ情報入力部４０によってユーザ情報が入力された複数のユーザに関する出来事情報、楽曲関連情報をユーザ毎に区別して表示する機能を有する。
【０１５６】
一例として、ユーザ毎に楽曲関連情報を区別して表示する方法には、楽曲関連情報をユーザ毎に色彩を変え、または表示される形状を変える等の方法がある。
【０１５７】
また、表示部３０は、少なくとも一つの楽曲情報が前記複数のユーザ毎の前記楽曲情報に共通に含まれると判定される場合には、前記少なくとも一つの楽曲情報が関連する前記楽曲関連情報の少なくとも一部を重ねて表示する機能を有する。
【０１５８】
一例として、ユーザＡさんの出来事情報に含まれる楽曲ＡＡＡＡがユーザＢさんの出来事情報にも含まれる場合には、ユーザＡさんの楽曲関連情報とユーザＢさんの楽曲関連情報の一部を重ねて表示する。
【０１５９】
この場合に、重ねて表示される部分は、共通して含まれる楽曲の数に対応させて変化させてもよい。例えば、共通して含まれる楽曲の数が多い場合には重ねて表示される部分の面積を大きくし、全部の楽曲が共通する場合には、ユーザＡさんの楽曲関連情報とユーザＢさんの楽曲関連情報との全部を重ねて表示させる。
【０１６０】
また、ユーザＡさんの出来事情報とユーザＢさんの出来事情報とは共通する出来事情報、または、異なる出来事情報であってもよい。
【０１６１】
一例として、図１０に示されるようにユーザＡさんの出来事情報とユーザＢさんの出来事情報とが共通する成人式または失恋等の出来事情報である場合と、図８に示されるように年代が１９９７年のユーザＡさんの出来事情報が中学卒業でありユーザＢさんの出来事情報が失恋である場合に共通する楽曲がある場合には関連情報の少なくとも一部を重ねて表示させる場合とがある。
【０１６２】
また、表示部３０は、出来事情報に対応する楽曲情報によって特定される楽曲を歌唱履歴情報に有し、前記ユーザ情報入力部４０を介してユーザ情報が入力された他のユーザに関するユーザ関連情報を表示する機能を有する。
【０１６３】
ユーザ関連情報の一例として、ユーザのアバタ画面等のユーザ同士を識別する画像情報がある。
【０１６４】
ユーザのアバタ画面が出来事情報に対応する楽曲関連情報の表示位置付近に表示されれば、出来事情報に複数のユーザに共通の楽曲情報があることを楽しく容易に認識することが可能になる。
【０１６５】
また、ユーザ関連情報が表示されるユーザはユーザ情報入力部４０を介してユーザ情報が入力された他のユーザに関するユーザ関連情報であるので、一緒に同席してカラオケを楽しんでいるユーザ同士の情報が表示される。したがって、ユーザが自分の思い出を振り返るだけではなく、同席ユーザにも共通の楽曲を通じて話題を提供し、楽しく歌唱してカラオケをするための楽曲を選曲することが可能になる。
【０１６６】
また、同席している他のユーザが歌唱できる楽曲が表示されるので、ユーザ同士の会話がはずみ、みんなで楽しくカラオケを選曲し、歌唱することができる。
【０１６７】
なお、表示部３０は、出来事情報に対応する楽曲情報によって特定される楽曲を着うた、楽曲データ、ＣＤ等のコンテンツを購入したコンテンツ購入履歴に有し、ユーザ情報入力部４０を介してユーザ情報が入力された他のユーザに関するユーザ関連情報を表示する機能を有していてもよい。
【０１６８】
この構成によれば、カラオケ情報提供サービス会社が提供するサービスにおいて、ユーザが着うた、楽曲データ、ＣＤ等のコンテンツを購入したコンテンツ購入履歴のなかに、出来事情報に対応する楽曲情報が含まれる他のユーザのユーザ関連情報が出来事情報とともに表示されるので、ユーザは自分の出来事情報に対応した他のユーザが興味を持っている楽曲を容易に検索することができる。
【０１６９】
さらに、表示部３０は、ユーザ情報選択部１０６によって他のユーザのユーザ関連情報が選択されると、選択された他のユーザの出来事情報を年代の順を追って表示し、他のユーザの出来事情報に対応する楽曲情報に関連する楽曲関連情報を表示する機能を有する。
【０１７０】
すなわち、表示部３０によってユーザ毎に出来事情報の表示を切り替えられる。一例として、図６の表示部３０に表示された画面はユーザBさんの出来事情報を示す画面であるが、図６の画面で表示されているユーザＡさんのユーザ関連情報の一例としてのユーザ切り替え画像領域２００が選択されると、表示部３０に表示される画面が切り替わり、ユーザＡさんの出来事情報を示す画面が表示される（図６におけるユーザＢさんの年表からユーザＡさんの年表が表示される）。
【０１７１】
さらに、表示部３０は、ユーザ情報選択部１０６によって楽曲関連情報が選択されると、出来事情報に対応する前記楽曲情報を表示する機能を有する。
【０１７２】
一例として、図６のユーザＢさんの出来事情報の表示画面において、ユーザＢさんが結婚した２００１年の「嬉」の文字が表示された楽曲関連情報としての円２０１をユーザが選択すると、表示部３０は図７の画面を表示する。
【０１７３】
図７の画面では、楽曲情報に含まれる楽曲の曲名、歌手名等の情報とともに、ユーザ名、西暦等の年代、ユーザの年齢、出来事情報、表示される楽曲に共通する嬉しい曲、楽しい曲、悲しい曲等の属性情報が表示される。
【０１７４】
このように、楽曲情報の一覧がユーザに見やすく表示されるとともに、楽曲を選択する場合にもそれらの楽曲属性および出来事情報が表示されるので、ユーザはどのような場合にそのような気持ちで歌唱したかを確認しながら楽曲を選択することができる。
【０１７５】
また、楽曲情報の一覧を表示される画面に、表示されている楽曲がカラオケ装置で演奏されるために楽曲が選択されるべき領域を示す「カラオケ選曲」等の部分、表示されている楽曲のコンテンツ情報が図７に表示されているユーザであるユーザＢさんの携帯電話等の携帯電子情報機器にダウンロードされるために楽曲が選択されるべき領域を示す「携帯コンテンツ」等の部分、表示されている楽曲および／歌手に関するコンサート情報等の情報が表示されるために選択されるべき領域を示す「情報表示」等の部分が楽曲情報等の情報とともに表示されてもよい。
【０１７６】
なお、表示される楽曲情報は、ユーザが歌唱した楽曲と楽曲に関する属性情報が完全に一致する楽曲の他に、バージョン情報が異なる楽曲、演奏が異なる楽曲、収録された時刻が異なる楽曲、歌手が異なる楽曲であってもよい。
【０１７７】
さらに、表示部３０は年代情報を同時に表示することを特徴とする。
【０１７８】
一例として、図８等に表示されるように、西暦等の年代情報が出来事情報等のその他の情報とともに表示される。
【０１７９】
出来事情報とともに西暦等の年代情報が表示されれば、各ユーザは表示部３０に表示された出来事情報は各ユーザが何歳の時に起きた出来事であるかを容易に把握することができる。また、出来事情報に対応するその他の芸能、時事ニュースなどを思い出すことが可能になる。
【０１８０】
選択部１０６は、表示部３０に表示される他のユーザのユーザ関連情報が選択されるユーザ情報選択手段として機能する。
【０１８１】
ユーザは、入力部４６ａを介して、表示部３０に表示される他のユーザのユーザ関連情報を選択し、選択部１０６はどのユーザ情報が選択されたかを検出する。そして、表示部３０に選択されたユーザに関する情報が表示される。例えば、選択されたユーザの図６等の個人年表が表示されてもよい。
【０１８２】
また、選択部１０６は、表示部３０に表示される楽曲関連情報が選択される楽曲関連情報選択手段として機能する。
【０１８３】
ユーザは、入力部４６ａを介して、表示部３０に表示される楽曲関連情報を選択し、選択部１０６はどの楽曲関連情報が選択されたかを検出する。そして、表示部３０に選択された楽曲関連情報に関する情報が表示される。例えば、図７等の楽曲情報が表示されてもよい。
【０１８４】
関連付け部１０８はユーザの出来事情報とユーザの年齢情報とをユーザ情報に関連付け、記憶部１０９に記憶し、および／またはサーバ装置２０にそれらの情報を転送する。
【０１８５】
なお、関連付け部１０８は、ユーザ情報入力部４０に入力されたユーザ情報が正規の会員として登録されたものでない場合には、以降の処理を継続せずに中断、もしくは、エラーメッセージを表示部３０に表示して次のユーザ情報の入力を待機することも可能である。
【０１８６】
このように本発明によれば、カラオケ情報提供サービス会社が提供するサービスを有するカラオケ選曲装置において、ユーザの歌唱履歴を参照し、ユーザの年齢に基づく個人年表を作成し、個人年表上にユーザにとって関心のある楽曲の存在を表示することができるので、表示された個人年表をもとにカラオケの選曲ができる。
【０１８７】
また、複数ユーザでログインしている場合には、他ユーザの情報も年表に表示し、ユーザの歌唱履歴に共通するユーザが歌唱できる楽曲を年表上に視覚的に表示する。
【０１８８】
すなわち、複数ユーザでログインしている場合には、同席している他のユーザに関する楽曲も出来事情報を介して表示されるので、同席しているユーザ同士に共通する話題提供が可能になり、みんなで楽しく会話をしながらカラオケを選曲し歌唱することができる。
【０１８９】
また、同席している他のユーザが歌唱できる楽曲が表示されるので、ユーザ同士の会話がはずみ、みんなで楽しくカラオケを選曲し、歌唱することができる。
【０１９０】
さらに、カラオケシステムに出来事情報を登録後は、カラオケシステムにおいて年表が更新され続けるので、ユーザは個人年表を見ながらあの時代、あんな曲を歌ったな〜という振り返りを視覚的に楽しむことができる。
【０１９１】
［３．処理動作を示すフローチャートの一例］
次に、図４および図５を用いて、本願のカラオケ選曲装置としてのカラオケ装置１６において、入力されたユーザ情報からユーザの年齢情報を抽出し、抽出された年齢情報に対応する出来事情報を設定し、設定された出来事情報に対応する楽曲情報を抽出し、出来事情報を年代の順を追って表示し、出来事情報に対応する楽曲情報に関連する楽曲関連情報等の情報等を表示するカラオケ選曲装置としての機能を含むカラオケ装置１６の動作概要を説明する。
【０１９２】
なお、図４および図５に記載される機能をサーバ装置２０において実行することも可能である。この場合には、カラオケ情報提供サービス会社は、サーバ装置２０を介したネットワークで、ユーザ情報を基にした出来事情報から楽曲が選曲されるサービスを提供できる。
【０１９３】
また、本発明を適用した場合において実現され得る具体的な処理手順である以下に示す処理手順は、一例であってこれ以外にも実現され得る処理手順は無数に存在する。
【０１９４】
（第１実施形態）
まず、図４のステップＳ１において、カラオケ情報提供サービス会社が提供するサービスを有するカラオケ装置１６の操作パネル４６等のユーザ情報入力部４０を介してユーザはユーザＩＤ等のユーザ情報を入力してログインする。
【０１９５】
年齢情報抽出部１０１はユーザ情報入力手段として機能するユーザ情報入力部４０によって入力されたユーザ情報に対応する年齢情報を抽出する。
【０１９６】
なお、ステップＳ１におけるユーザ情報の入力動作をユーザ端末（図示せず）で実行することも可能である。この場合には、このユーザ端末はステップＳ１以下の処理を実行するカラオケ装置１６またはサーバ装置２０と無線または有線で接続される。
【０１９７】
ステップＳ２において、出来事情報設定部１０２は、年齢情報抽出手段として機能する年齢情報抽出部１０１によって抽出された年齢情報に対応する出来事情報を設定する。
【０１９８】
設定される出来事情報には、生誕、小学校入学、小学校卒業、中学入学、中学卒業、高校入学、高校卒業、成人式などの出来事情報が含まれる。
【０１９９】
なお、ステップＳ１の年齢情報を抽出する動作からステップＳ４の楽曲情報を分類するまでのカラオケ装置１６の動作をカラオケ選曲装置としての機能を含むサーバ装置２０で実行することも可能である。
【０２００】
ステップＳ３において、楽曲情報抽出部１０３は、出来事情報設定手段として機能する出来事情報設定部１０２によって設定された出来事情報に対応する楽曲情報を抽出する。
【０２０１】
ユーザの歌唱履歴情報には、ユーザが歌唱した日付を示す歌唱日付情報と、ユーザが歌唱した楽曲を示す楽曲情報が含まれる。
【０２０２】
したがって、出来事情報設定部１０２によって設定された出来事情報が起きた年月日と歌唱履歴情報から、そのときにユーザが歌唱していた楽曲情報を抽出することができる。
【０２０３】
ステップＳ４において、表示部３０は、ステップＳ３において抽出された出来事情報に対応する楽曲情報に共通する特徴で楽曲情報を分類し、分類された楽曲情報の特徴を示す楽曲関連情報情報を表示する。
【０２０４】
楽曲関連情報情報は文字、図形、記号、色彩またはこれらの組み合わせで表示部３０にユーザが視認しやすい状態で表示される。
【０２０５】
楽曲情報に共通する特徴としては、一例として、楽曲情報のイメージやジャンルなどがあり、楽曲情報に共通するイメージやジャンルを楽曲関連情報情報として表示する。
【０２０６】
また、表示部３０は出来事情報を年代順に順番に表示し、出来事情報に対応させて楽曲関連情報を表示する。
【０２０７】
一例として、図６等に示すように出来事情報に対応する楽曲情報の数に応じて楽曲関連情報として表示される円の大きさを変化させる。
【０２０８】
また、出来事情報に対応する楽曲情報が楽しい曲調または楽しい気持ちを示す歌詞情報が含まれる場合には、表示される楽曲関連情報には楽しいことを示す漢字、例えば楽曲情報の属性情報として「楽」の文字を楽曲関連情報の領域内に表示する。
【０２０９】
例えば、図６の２０００年における楽曲関連情報の「楽」の文字と円である。
【０２１０】
さらに、表示部３０は年代情報を同時に表示する。
【０２１１】
一例として、図６等に表示されるように、西暦等の年代情報が出来事情報等のその他の情報とともに表示される。
【０２１２】
また、楽曲情報に共通するジャンルを楽曲関連情報情報として表示することもできる。
【０２１３】
ステップＳ５において、表示部３０は、ユーザ関連情報として、ユーザのアバタ画像を図６等に示されるように、楽曲関連情報に重ねて、または、楽曲関連情報の近傍に表示する。ユーザ関連情報が楽曲関連情報に重ねて、または、楽曲関連情報の近傍に表示されることで、どのユーザが歌唱した楽曲が楽曲関連情報に含まれるかを容易に視認することができる。
【０２１４】
また、ユーザ関連情報として、ユーザのアバタ画像のほかに、ユーザの名称を表示するようにしてもよい。
【０２１５】
また、表示部３０は、ユーザ関連情報として、どのユーザに関わる出来事情報を表示するかを選択するユーザ切り替え画像領域２００を図６等に示されるように表示することができる。
【０２１６】
ユーザ関連情報としてのユーザ切り替え画像領域２００には、カラオケボックスで同席しているユーザを識別する情報が表示される。図６では、ユーザを識別する情報としてユーザの名称が表示されている。
【０２１７】
表示部３０に表示されている他のユーザのユーザ関連情報が選択されると、表示部３０は、表示される画像を切り替えて、選択された他のユーザの出来事情報を年代の順を追って表示し、他のユーザの出来事情報に対応する楽曲情報に関連する楽曲関連情報を表示する。
【０２１８】
一例として、ユーザＡさんの年表画面においてユーザＢさんのユーザ関連情報が選択されると、図６に表示されるようにユーザＢさんの年表画面に切り替わる。
【０２１９】
このように、あるユーザの年代の順を追って表示されている出来事情報から、年代の順を追って表示される他のユーザの出来事情報を見ようとする場合には、ユーザ関連情報を選択することによって簡単かつ容易に他のユーザの出来事情報を見ることができるようになる。
【０２２０】
このように、画面が簡単に切り替えられることで、切り替えられた画面で他のユーザの出来事情報を年代の順を追って閲覧することが可能になる。
【０２２１】
ステップＳ６において、表示部３０に表示されている楽曲がたくさんある場合のその集合体を示す楽曲関連情報、または、楽曲の属性など示す楽曲関連情報が選択されると、表示部３０は、表示される画像を切り替えて、楽曲名、歌手名などの楽曲関連情報を表示する。
【０２２２】
一例として、ユーザＢさんの年表画面を示す図６の画面の２００１年で、分類された楽曲情報の集合体が「嬉しい」曲調または歌詞等の情報を含む「嬉」の文字を含む円２０１が選択されると、図７に示されるようにユーザＢさんが２００１年に歌唱していた「嬉しい」曲調または歌詞等の情報を含む楽曲が一覧表示される。
【０２２３】
（第２実施形態）
図５のステップＳ７において、カラオケ情報提供サービス会社が提供するサービスを有するカラオケ装置１６の操作パネル４６等のユーザ情報入力部４０を介して複数のユーザがユーザＩＤ等のユーザ情報を入力してログインする。
【０２２４】
年齢情報抽出部１０１はユーザ情報入力手段として機能するユーザ情報入力部４０によって入力されたユーザ情報に対応する年齢情報を複数のユーザから抽出する。
【０２２５】
ステップＳ８において、出来事情報設定部１０２は、年齢情報抽出手段として機能する年齢情報抽出部１０１によって抽出された年齢情報に対応する出来事情報を複数のユーザ毎に設定する。
【０２２６】
設定される出来事情報には、生誕、小学校入学、小学校卒業、中学入学、中学卒業、高校入学、高校卒業、成人式などの出来事情報が含まれる。
【０２２７】
ステップＳ９において、楽曲情報抽出部１０３は、出来事情報設定手段として機能する出来事情報設定部１０２によって設定された出来事情報に対応する楽曲情報を抽出する。
【０２２８】
ユーザの歌唱履歴情報には、ユーザが歌唱した日付を示す歌唱日付情報と、ユーザが歌唱した楽曲を示す楽曲情報が含まれる。
【０２２９】
したがって、出来事情報設定部１０２によって設定された出来事情報が起きた年月日と歌唱履歴情報から、そのときにユーザが歌唱していた楽曲情報を抽出することができる。
【０２３０】
ステップＳ１０において、表示部３０は、ステップＳ３において抽出された出来事情報に対応する楽曲情報に共通する特徴で楽曲情報を複数のユーザ毎に分類し、分類された楽曲情報の特徴を示す楽曲関連情報を表示する。
【０２３１】
楽曲情報に共通する特徴としては、一例として、楽曲情報のイメージやジャンルなどがあり、楽曲情報に共通するイメージやジャンルを楽曲関連情報情報として表示する。
【０２３２】
また、表示部３０は出来事情報を年代順に順番に表示し、出来事情報に対応させて楽曲関連情報を表示する。
【０２３３】
また、複数のユーザでログインしているので、同席しているユーザ同士の出来事情報を区別して表示する。一例として、図８を参照。したがって、ユーザは自分の個人年表を参照しつつ他のユーザの個人年表も同時に参照できる。
【０２３４】
なお、ユーザ毎の出来事情報の区別が容易になるように、ユーザ毎に出来事情報の色を変え、また、出来事情報の形状を変えるなどして表示部３０に表示してもよい。
【０２３５】
このように、ユーザは自分の個人年表の出来事情報に対応する他のユーザの出来事情報を知ることができるので、同席しているユーザ同士の会話が弾み、楽しく選曲することができる。図８の一例として、２００１年にユーザＡさんの出来事情報が成人式の場合に他のユーザであるユーザＢさんの出来事情報が結婚である場合などがある。
【０２３６】
ステップＳ１１において、同じ年代におけるユーザが異なる楽曲関連情報の中に共通する楽曲情報が存在する場合には、楽曲関連情報の一部を重ねて表示する。
【０２３７】
一例として、図８に表示されるように、１９９７年のユーザＡさんの楽曲関連情報２０２に含まれる楽曲と、ユーザＢさんの楽曲関連情報２０３に含まれる楽曲に共通する楽曲がある場合には、ユーザＡさんの楽曲関連情報２０２とユーザＢさんの楽曲関連情報２０３の一部を重ねて表示する（重複領域２０４）。
【０２３８】
重複領域２０４は、ユーザＡさんの楽曲関連情報２０２およびユーザＢさんの楽曲関連情報２０３とは色を変えて表示し、または、重複領域２０４にだけ斜線等の記号を表示し、他の領域とは異なる表示をしてユーザが重複領域２０４を容易に視認できるようにしてもよい。
【０２３９】
ステップＳ１２において、表示部３０に表示されている重複領域２０４が選択されると、表示部３０は、表示される画像を切り替えて、ユーザＡさんとユーザＢさんに共通する楽曲名、歌手名などの楽曲関連情報を表示する。
【０２４０】
一例として、図９は図８の重複領域２０４が選択されて表示される画面である。図９に示されるようにユーザＡさんとユーザＢさんが１９９７年に歌唱していた共通の楽曲が一覧表示される。
（第３実施形態）
図示しないステップＳ１３において、カラオケ情報提供サービス会社が提供するサービスを有するカラオケ装置１６の操作パネル４６等のユーザ情報入力部４０を介して複数のユーザがユーザＩＤ等のユーザ情報を入力してログインする。
【０２４１】
年齢情報抽出部１０１はユーザ情報入力手段として機能するユーザ情報入力部４０によって入力されたユーザ情報に対応する年齢情報を複数のユーザから抽出する。
【０２４２】
図示しないステップＳ１４において、出来事情報設定部１０２は、年齢情報抽出手段として機能する年齢情報抽出部１０１によって抽出された年齢情報に対応する出来事情報を複数のユーザ毎に設定する。
【０２４３】
図示しないステップＳ１５において、楽曲情報抽出部１０３は、出来事情報設定手段として機能する出来事情報設定部１０２によって設定された出来事情報に対応する楽曲情報を抽出する。
【０２４４】
ユーザの歌唱履歴情報には、ユーザが歌唱した日付を示す歌唱日付情報と、ユーザが歌唱した楽曲を示す楽曲情報が含まれる。
【０２４５】
したがって、出来事情報設定部１０２によって設定された出来事情報が起きた年月日と歌唱履歴情報から、そのときにユーザが歌唱していた楽曲情報を抽出することができる。
【０２４６】
図示しないステップＳ１６において、表示部３０は、ステップＳ３において抽出された出来事情報に対応する楽曲情報に共通する特徴で楽曲情報を複数のユーザ毎に分類し、分類された楽曲情報の特徴を示す楽曲関連情報を表示する。
【０２４７】
楽曲情報に共通する特徴としては、一例として、楽曲情報のイメージやジャンルなどがあり、楽曲情報に共通するイメージやジャンルを楽曲関連情報情報として表示する。
【０２４８】
また、本実施形態では出来事情報を年代順に順番に表示するが、年代情報は表示しない。一例として、図１０を参照すると、複数のユーザに共通する出来事情報があれば、出来事情報は一つ表示する。図１０においてユーザＡさんとユーザＢさんとに共通する出来事情報として、中学卒業がある場合に、ユーザＡさんの中学卒業年とユーザＢさんの中学卒業年とは異なるが、出来事情報は中学卒業を一つ表示する。楽曲関連情報は、図１０の出来事情報の横軸に対応させてユーザ毎に表示する。
【０２４９】
このように、ユーザは自分の出来事情報が他のユーザの出来事情報と共通する場合には、出来事情報に対応する他のユーザの楽曲関連情報の存在によって共通する出来事情報を容易に視認することができるので、世代を超えて同じ出来事情報について同席しているユーザ同士で会話が弾み、楽しく選曲することができる。
【０２５０】
図示しないステップＳ１６において、同じ出来事情報におけるユーザが異なる楽曲関連情報の中に共通する楽曲情報が存在する場合には、楽曲関連情報の一部を重ねて表示する。
【０２５１】
一例として、図１０に表示されるように、ユーザＡさんの楽曲関連情報２０５に含まれる楽曲と、ユーザＢさんの楽曲関連情報２０６に含まれる楽曲に共通する楽曲がある場合には、ユーザＡさんの楽曲関連情報２０５とユーザＢさんの楽曲関連情報２０６の一部を重ねて表示する（重複領域２０７）。
【０２５２】
重複領域２０７は、ユーザＡさんの楽曲関連情報２０５およびユーザＢさんの楽曲関連情報２０６とは色を変えて表示し、または、重複領域２０７にだけ斜線等の記号を表示し、他の領域とは異なる表示をしてユーザが重複領域２０７を容易に視認できるようにしてもよい。
【０２５３】
図示しないステップＳ１８において、表示部３０に表示されている重複領域２０７が選択されると、表示部３０は、表示される画像を切り替えて、ユーザＡさんとユーザＢさんに共通する楽曲名、歌手名などの楽曲関連情報を表示する。
【０２５４】
以上説明したように、本発明によれば、カラオケ情報提供サービス会社が提供するサービスを有するカラオケ選曲装置において、ユーザの歌唱履歴を参照し、ユーザの年齢に基づく個人年表を作成し、個人年表上にユーザにとって関心のある楽曲の存在を表示することができるので、表示された個人年表をもとにカラオケの選曲ができる。
【０２５５】
また、複数ユーザでログインしている場合には、他ユーザの情報も年表に表示し、ユーザの歌唱履歴に共通するユーザが歌唱できる楽曲を年表上に視覚的に表示する。
【０２５６】
すなわち、複数ユーザでログインしている場合には、同席している他のユーザに関する楽曲も出来事情報を介して表示されるので、同席しているユーザ同士に共通する話題提供が可能になり、みんなで楽しく会話をしながらカラオケを選曲し歌唱することができる。
【０２５７】
また、同席している他のユーザが歌唱できる楽曲が表示されるので、ユーザ同士の会話がはずみ、みんなで楽しくカラオケを選曲し、歌唱することができる。
【０２５８】
さらに、カラオケシステムに出来事情報を登録後は、カラオケシステムにおいて年表が更新され続けるので、ユーザは個人年表を見ながらあの時代、あんな曲を歌ったな〜という振り返りを視覚的に楽しむことができる。
【０２５９】
［４．表示部３０等に表示される画面の一例］
次に、図４のステップＳ４乃至ステップＳ６、図５のステップＳ１０乃至ステップＳ１２、図示しないステップＳ１６乃至ステップＳ１８において表示部３０等に表示される画面の一例を図６乃至図１０に示す。
【０２６０】
＜第１実施形態の表示例１＞
図６は、他のユーザであるユーザＢさんが選択された場合にユーザＢさんの個人年表が表示される態様の一例を図示したものである。
【０２６１】
図６では、ユーザＡさんの個人年表と同様に、出来事情報に対応する楽曲情報に共通する特徴で楽曲情報が分類された楽曲情報の特徴を示す楽曲関連情報情報が円で表示され、円には円に含まれる楽曲情報に共通した属性情報を示す漢字が一文字で表示されている。
【０２６２】
また図６では、出来事情報に対応する属性情報が共通する一つの楽曲群に楽曲情報が多い場合には、表示される楽曲関連情報が大きく表示され、出来事情報に対応する楽曲情報が少ない場合には、表示される楽曲関連情報が小さく表示される。この場合に、表示される楽曲関連情報の大きさは含まれる楽曲情報の数に比例して大きく、また、小さくしてもよい。
【０２６３】
例えば、図６の２００３年のユーザＢさんの出来事情報、出産に対応する楽曲関連情報である円２１２は、嬉しい曲調または嬉しい気持ちを示す歌詞情報が含まれる楽曲群であることが示され、「嬉」の文字が円２１２に表示される。
【０２６４】
また、円２１２に含まれる楽曲には、ユーザＡさんの歌唱履歴に含まれる楽曲が存在するので、ユーザＡさんを示すユーザ関連情報であるユーザＡさんのアバタ画像２１３が表示される。
【０２６５】
また、図６では、西暦等の年代情報２１４が出来事情報等のその他の情報とともに表示され、年代情報２１４の年度に対応してユーザＢさんの出来事情報が表示される。
【０２６６】
例えば、西暦１９７５年はユーザＢさんが生まれた年であり、西暦１９９２年はユーザＢさんが中学を卒業した中学卒業年であり、西暦１９９５年はユーザＢさんが高校を卒業した高校卒業年であり、西暦１９９６年はユーザＢさんが成人した年であり、西暦１９９７年はユーザＢさんが失恋した年であり、西暦２００１年はユーザＢさんが結婚した年であり、西暦２００３年と２００６年はユーザＢさんが出産した年であることが表示されている。
【０２６７】
また、図６がユーザＢさんの個人年表であることが容易に分かるように、ユーザＢさんを示すユーザ関連情報であるユーザＢさんのアバタ画像２１５が図右上にユーザが視認しやすいように表示されている。
【０２６８】
ユーザＢさんのアバタ画像２１５の下には、ユーザ関連情報として、どのユーザに関わる出来事情報を表示するかを選択するユーザ切り替え画像領域２１６が表示されている。
【０２６９】
ユーザ関連情報としてのユーザ切り替え画像領域２１６には、カラオケボックスで同席しているユーザを識別する情報が表示される。図６では、ユーザを識別する情報としてユーザの名称が表示されている。
【０２７０】
例えば、図６のユーザＢさんの年表画面においてユーザ関連情報であるユーザ切り替え画像領域２００でユーザＡさんが選択されると、ユーザＡさんの個人年表を示す画面に切り替わる。
【０２７１】
また、図６の画面で表示されているユーザＡさんのユーザ関連情報２１３が選択されると、表示部３０に表示される画面が切り替わり、ユーザＡさんの個人年表を示す画面が表示されるようにしてもよい。
【０２７２】
さらに、図６において、ユーザ情報選択部１０６によって楽曲関連情報が選択されると、出来事情報に対応する前記楽曲情報を表示する。
【０２７３】
一例として、図６のユーザＢさんの出来事情報の表示画面において、ユーザＢさんが結婚した２００１年の「嬉」の文字が表示された楽曲関連情報である円２０１をユーザが選択すると、表示部３０は図７の画面を表示する。
【０２７４】
＜第１実施形態の表示例２＞
図７の画面では、楽曲情報に含まれる楽曲の曲名、歌手名等の情報とともに、ユーザ名、西暦等の年代、ユーザの年齢、出来事情報、表示される楽曲に共通する嬉しい曲、楽しい曲、悲しい曲等の属性情報が表示される。
【０２７５】
このように、楽曲情報の一覧がユーザに見やすく表示されるとともに、楽曲を選択する場合にもそれらの楽曲属性および出来事情報が表示されるので、ユーザはどのような場合にそのような気持ちで歌唱したかを確認しながら楽曲を選択することができる。
【０２７６】
また、楽曲情報の一覧を表示される画面に、表示されている楽曲がカラオケ装置で演奏されるために楽曲が選択されるべき領域を示す「カラオケ選曲」等の部分、表示されている楽曲のコンテンツ情報が図７に表示されているユーザであるユーザＢさんの携帯電話等の携帯電子情報機器にダウンロードされるために楽曲が選択されるべき領域を示す「携帯コンテンツ」等の部分、表示されている楽曲および／歌手に関するコンサート情報等の情報が表示されるために選択されるべき領域を示す「情報表示」等の部分が楽曲情報等の情報とともに表示される。
【０２７７】
また、楽曲情報が多い場合には複数のページにわたって表示されるようにしてもよい。
【０２７８】
＜第２実施形態の表示例１＞
図８は、ユーザＡさんの個人年表に、同席しているユーザであるユーザＢさんの個人年表を、共通の西暦等の年代情報２２１に基づいて表示したものである。
【０２７９】
また出来事情報は、ユーザＡさん、ユーザＢさん毎に異なる色で表示される。
【０２８０】
すなわち、複数のユーザでログインしている場合には、同席しているユーザ同士の出来事情報を区別して表示する。したがって、ユーザは自分の個人年表を参照しつつ他のユーザの個人年表も同時に参照できる。
【０２８１】
なお、ユーザ毎の出来事情報の区別が容易になるように、ユーザ毎に出来事情報の形状を変えるなどして表示部３０に表示してもよい。
【０２８２】
このように、ユーザは自分の個人年表の出来事情報に対応する他のユーザの出来事情報を知ることができるので、同席しているユーザ同士の会話が弾み、楽しく選曲することができる。図８の一例として、２００１年にユーザＡさんの出来事情報が成人式の場合に他のユーザであるユーザＢさんの出来事情報が結婚である場合などがある。
【０２８３】
同じ年において、ユーザが異なる楽曲関連情報の中に共通する楽曲情報が存在する場合には、楽曲関連情報の一部を重ねて表示する。
【０２８４】
図８に表示されるように、１９９７年のユーザＡさんの楽曲関連情報２０２に含まれる楽曲と、ユーザＢさんの楽曲関連情報２０３に含まれる楽曲に共通する楽曲があるので、ユーザＡさんの楽曲関連情報２０２とユーザＢさんの楽曲関連情報２０３の一部を重ねて表示する（重複領域２０４）。
【０２８５】
重複領域２０４は、ユーザＡさんの楽曲関連情報２０２およびユーザＢさんの楽曲関連情報２０３とは色を変えて表示し、または、重複領域２０４にだけ斜線等の記号を表示し、他の領域とは異なる表示をしてユーザが重複領域２０４を容易に視認できるようにしてある。
【０２８６】
図８に表示されている重複領域２０４が選択されると、表示部３０は、表示される画像を切り替えて、ユーザＡさんとユーザＢさんに共通する楽曲名、歌手名などの楽曲関連情報を図９に示すように表示する。すなわち、ユーザＡさんとユーザＢさんが１９９７年に歌唱していた共通の楽曲が一覧表示される。
【０２８７】
＜第２実施形態の表示例２＞
図９は、図８に表示されている重複領域２０４が選択された場合の表示画面であって、１９９７年にユーザＡさんとユーザＢさんとが共通して歌唱していた楽曲名、歌手名などの楽曲関連情報が一覧表示された画面である。
【０２８８】
図９の画面では、楽曲情報に含まれる楽曲の曲名、歌手名等の情報とともに、ユーザ名、西暦等の年代、ユーザの年齢、出来事情報が表示される。
【０２８９】
このように、楽曲情報の一覧がユーザに見やすく表示されるとともに、楽曲を選択した場合にもそれらの出来事情報が表示されるので、ユーザはどのような場合にその歌唱したかを確認しながら楽曲を選択することができる。
【０２９０】
また、ユーザ同士で共通して歌唱していた楽曲に関する話題が提供されるので、会話の話題にもなり、ユーザ同士で楽しくカラオケを楽しむきっかけ作りにもなる。
【０２９１】
＜第３実施形態の表示例１＞
図１０は、出来事情報を年代順に順番に表示するが、年代情報は表示しない実施形態を示す。図１０を参照すると、複数のユーザに共通する出来事情報があれば、出来事情報を一つ表示する。図１０においてユーザＡさんとユーザＢさんとに共通する出来事情報として、中学卒業がある場合に、ユーザＡさんの中学卒業年とユーザＢさんの中学卒業年とは異なるが、年代情報とは関係無く、出来事情報としてユーザＡさんとユーザＢさんとに共通する楽曲がある出来事情報としての中学卒業を一つ表示する。
【０２９２】
楽曲関連情報は、図１０の出来事情報の横軸に対応させて図１０のようにユーザ毎に表示する。
【０２９３】
また、複数のユーザでログインしているので、同席しているユーザ同士の出来事情報を区別して表示する。一例として、出来事情報の表示色を図１０に示すようにユーザ毎に変えたり、出来事情報の形状をユーザ毎に変えたりすることができる。
【０２９４】
同じ年代におけるユーザが異なる楽曲関連情報の中に共通する楽曲情報が存在する場合には、楽曲関連情報の一部を重ねて表示する。
【０２９５】
図１０に表示されるように、共通する出来事情報として失恋がある場合に、ユーザＡさんの楽曲関連情報２０５に含まれる楽曲と、ユーザＢさんの楽曲関連情報２０６に含まれる楽曲に共通する楽曲がある場合には、ユーザＡさんの楽曲関連情報２０５とユーザＢさんの楽曲関連情報２０６の一部を重ねて表示する（重複領域２０７）。
【０２９６】
重複領域２０７は、ユーザＡさんの楽曲関連情報２０５およびユーザＢさんの楽曲関連情報２０６とは色を変えて表示し、または、重複領域２０７にだけ斜線等の記号を表示し、他の領域とは異なる表示をしてユーザが重複領域２０７を容易に視認できるようにしてもよい。
【０２９７】
表示部３０に表示されている重複領域２０７が選択されると、表示部３０は、表示される画像を切り替えて、ユーザＡさんとユーザＢさんに共通する楽曲名、歌手名などの楽曲関連情報を表示する画面１５を表示する。
【０２９８】
このように、ユーザは自分の出来事情報が他のユーザの出来事情報と共通する場合には、出来事情報に対応する他のユーザの楽曲関連情報の存在によって共通する出来事情報を容易に視認することができるので、世代を超えて同じ出来事情報について同席しているユーザ同士で会話が弾み、楽しく選曲することができる。
【０２９９】
＜個人年表の表示例＞
図１２に個人の年表の表示例を示す。
【０３００】
図１２では、出来事情報に対応する楽曲情報のうち、曲のイメージ（楽しい（楽）、嬉しい（嬉）、悲しい（悲）、恐い（恐）・・・・）ごとに楽曲関連情報を表示させた場合を示す。図１２では、曲のイメージが似ている楽曲関連情報は近くに表示される。一例として、図１２の２００５年の楽曲関連情報については、曲のイメージが似ている「悲」と「寂」が近くに表示される。また、曲のイメージが似ていない楽曲関連情報は遠くに表示される。一例として、図１２の２００５年の曲のイメージが似ていない「楽」と「悲」が遠くに表示される
また、出来事情報に対応する楽曲情報のうち、楽曲ジャンル（演歌、J-POP、ロック、フォーク・・・・・）ごとに楽曲関連情報を表示させた場合もある。この場合には、曲のジャンルが似ている楽曲関連情報は近くに表示される。一例として、曲のジャンルが似ている「ロック」と「ハードロック」が近くに表示される。また、曲のジャンルが似ていない楽曲関連情報は遠くに表示される。一例として、曲のジャンルが似ていない「ロック」と「演歌」が遠くに表示される。
【０３０１】
また、出来事情報に対応する楽曲情報のうち、アーティストごとに楽曲関連情報を表示させた場合もある。この場合には、あの時代は、あんなアーティストにはまっていたんだな、とユーザは回想することができ、カラオケの選曲を楽しむことができる。出来事情報に対応する楽曲情報が多数存在する場合は、そのうち、最も多く歌っていたアーティスト上位数名のみを表示させても良い。アーティストの属性（ソロ女性アーティスト、ソロ男性アーティスト、ビジュアル系バンド等）が似ている場合は、楽曲関連情報は近くに表示され、似ていない場合は遠くに表示される。
【０３０２】
また、出来事情報に対応する楽曲情報のうち、曲名を表示させた場合もある。この場合には、年表からダイレクトに曲名を視認できるので、より選曲しやすいという効果がある。歌唱した曲は多数存在するので、そのうち、最も多く歌っていた曲、上位数曲のみを表示させても良い。歌唱アーティストが同一の曲の場合、楽曲関連情報は重ねて表示される。
【０３０３】
［５．ユーザ情報（歌唱履歴情報を含む）の一例］
次に、本実施形態に使用されるユーザ情報（歌唱履歴情報等の情報を含む）の一例を図１１に示す。
【０３０４】
なお、これらのユーザ情報はハードディスク５６の記憶部１０９またはサーバ装置２０の記憶部（図示せず）に記憶され、カラオケ装置１６のＣＰＵ５０またはカラオケ装置１６のＣＰＵ５０の機能を実行可能であるサーバ装置２０のＣＰＵ（図示せず）が、その機能を実行する場合に参照する。
【０３０５】
図１１はユーザの歌唱履歴含むユーザ情報の構成を示すデータテーブルの一例である。図１１のユーザ情報はユーザ毎に作成され、ユーザ名はユーザＩＤ等のユーザ情報によって特定される。楽曲の欄には、ユーザが過去にカラオケ装置１６で歌唱した楽曲の曲名とその楽曲の選曲番号等の情報が記載されている。
【０３０６】
例えば、２番目に選曲してユーザが歌唱した曲名が「BCD」の場合には、楽曲「BCD」は選曲番号「１２３６」とともにユーザ情報に含まれている。
【０３０７】
また、各楽曲をユーザ情報で特定されるユーザが歌唱した場合にカラオケ装置１６が採点した採点結果が採点点数としてユーザ情報に含まれる。
【０３０８】
さらに、各楽曲には、その楽曲のアーティストおよびジャンル等の情報が含まれる。
【０３０９】
また、ユーザ情報にはユーザの嗜好情報が含まれる。ユーザの嗜好情報はユーザがカラオケ装置へ直接入力することができる。また、カラオケ装置１６のＣＰＵ５０またはカラオケ装置１６のＣＰＵ５０の機能を実行可能であるサーバ装置２０のＣＰＵ（図示せず）が、ユーザが歌唱した楽曲に対応するアーティストおよびジャンル等の情報から自動的に検索して、ユーザが歌唱している頻度が高いアーティストおよびジャンル等の情報をユーザの嗜好情報として登録し、ユーザ情報に含ませることも可能である。
【０３１０】
なお、図１１のその他の情報には、楽曲付加情報（曲名、作曲・作詞者名、ジャンル名、発表年代／放送年代、主に話題となった人物、楽曲情報が使用された番組名等の情報）が含まれる。
【０３１１】
さらに、図１１のその他の情報には、楽曲情報が悲しい曲調または悲しい気持ちを示す歌詞情報が含まれる場合にはその旨の情報である「悲しい」という文字が含まれる。また、楽曲情報が楽しい曲調または楽しい気持ちを示す歌詞情報が含まれる場合には、その旨の情報である「楽しい」という文字が含まれる。また、楽曲情報が嬉しい気持ちを示す曲調または嬉しい気持ちを示す歌詞情報が含まれる場合には、その旨の情報である「嬉しい」という文字が含まれる。
【０３１２】
また、図１１の各情報はアドレス情報によって相互に参照することができる。
【０３１３】
以上、述べてきたユーザ情報のデータテーブルの一例によって、カラオケ装置１６のＣＰＵ５０またはカラオケ装置１６のＣＰＵ５０の機能を実行可能であるサーバ装置２０のＣＰＵ（図示せず）は、ユーザ情報、歌唱履歴情報、楽曲情報、アーティスト情報、ジャンル情報、嗜好情報等の情報を自由に検索し、抽出することが可能になる。
【０３１４】
また、本発明では楽曲関連情報を表示せずに、楽曲情報を出来事情報に対応させて年代順に表示してもよい。
【０３１５】
また、出来事情報に対応するユーザの楽曲情報が存在しない場合には、年代に対応した、歌唱ランキングでランキングされている楽曲情報を抽出し、または、出来事情報に対応する情報を有する楽曲情報を抽出してもよい。そして抽出された楽曲情報を表示し、または、それらの楽曲情報の楽曲関連情報を表示しもよい。
【０３１６】
また、第１実施形態、第２実施形態、第３実施形態における表示は、ユーザがカラオケ選曲装置を操作して自由に切り替えて表示することが可能である。
【０３１７】
また、年表はログインユーザ全員分を主軸としての切り替えが可能である。また、ユーザが公開したくない場合は、マイページ等のあるユーザだけが閲覧することができる画面だけから閲覧できるように制限することもできる。
【０３１８】
入力されたユーザＩＤ情報はユーザが持つ識別（ＩＤ：Identification）情報と関連づけされているので、ネットワークに接続されている電子機器であればユーザの識別情報を入力すれば、いつでもどこでもユーザＩＤ情報によって特定される識別情報に基づいてそのユーザに関連した情報が読み出し可能になる。
【０３１９】
したがって、カラオケボックスで同席しているユーザ同士ばかりではなく、ログインしているユーザ同士が相互に離れている場所にいる場合であって、通信手段を用いて相互にカラオケを楽しんでいる場合にも本発明を適用することができる。
【０３２０】
なお、図４および図５における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【０３２１】
また各電子情報機器間の情報の送受信は有線、無線に限定されず、いずれの方法においても情報の送受信を行うことができる。
【符号の説明】
【０３２２】
１６   ・・・  カラオケ装置
３０   ・・・  表示部
４０   ・・・  ユーザ情報入力部
１０１ ・・・  年齢情報抽出部
１０２ ・・・  出来事情報設定部
１０３ ・・・  楽曲情報抽出部
【図１】
2011209631.tif 000003
【図２】
2011209631.tif 000004
【図３】
2011209631.tif 000005
【図４】
2011209631.tif 000006
【図５】
2011209631.tif 000007
【図１１】
2011209631.tif 000008
【図６】
2011209631.tif 000009
【図７】
2011209631.tif 000010
【図８】
2011209631.tif 000011
【図９】
2011209631.tif 000012
【図１０】
2011209631.tif 000013
【図１２】
2011209631.tif 000014